(57)【要約】特に眼鏡用の針金片（４）とプラスチックから射出成形される成形体（１）とのはまり合い結合装置であって、針金片（４）の端部が、取付け具の互いに並んで設けられる２つの部分を介して成形体（１）に係留されているものが記載される。簡単な構造状態を与えるため、針金片（４）がヘアピン状に曲げられた端部（５）を持ち、この端部（５）の脚辺（６，７）が止め具を形成し、針金片（４）のヘアピン状に曲げられた端部（５）が、針金端部（５）のヘアピン形状に合わされてアンダカットを形成する成形体（１）の差込み受入れ部（８）へはまり合いで係合していることが提案される。
2006508374.tif 000002
【特許請求の範囲】
【請求項１】
特に眼鏡用の針金片（４）とプラスチックから射出成形される成形体（１）とのはまり合い結合装置であって、針金片（４）の端部が、取付け具の互いに並んで設けられる２つの部分を介して成形体（１）に係留されているものにおいて、針金片（４）がヘアピン状に曲げられた端部（５）を持ち、この端部（５）の脚辺（６，７）が止め具を形成し、針金片（４）のヘアピン状に曲げられた端部（５）が、針金端部（５）のヘアピン形状に合わされてアンダカットを形成する成形体（１）の差込み受入れ部（８）へはまり合いで係合していることを特徴とする、装置。
【請求項２】
針金片（４）のヘアピン状端部（５）の他方の脚辺（７）へ向かって曲げ返される一方の脚片（６）が、他方の脚辺（７）から離れる方へ向きかつ押しつぶしにより形成される拡張部（１０）を持っていることを特徴とする、請求項１に記載の装置。
【発明の詳細な説明】
【技術分野】
【０００１】  本発明は、特に眼鏡用の針金片とプラスチックから射出成形される成形体とのはまり合い結合装置であって、針金片の端部が、取付け具の互いに並んで設けられる２つの部分を介して成形体に係留されているものに関する。
【従来技術】
【０００２】  針金片の端部をプラスチックから射出成形される成形体に取付け、例えば鼻当てを保持する針金片の端部を眼鏡の鼻ブリッジに取付けるため、針金片の曲げられた端部に２つの平行な取付けピンをろう着けするか又は溶接し、逆鉤状断面の環状隆起をこれらの取付けピンに設けて、成形体の２つの凹所へはまり合いで係合させることが公知である。プラスチックから成る成形体の凹所へ圧入される取付けピンの逆鉤状の環状隆起は凹所の壁へ食い込むので、成形体の凹所内における取付けピンの引張りに耐える係留が行われる。平行な取付けピンは、更に成形片に対して針金片のねじれない保持を行い、それにより有利な取付け条件が与えられる。平行な取付けピンを介するこの取付けにおける欠点は、特にろう着け又は溶接に伴う高い構造費であり、ろう着け個所又は溶接個所は腐食する危険があり、針金片がそれを保持する成形片に対して例えば眼鏡の鼻当てを合わせるため曲げられる時、破損の危険を大きくする。
【発明の開示】
【０００３】  従って本発明の基礎になっている課題は、針金片とプラスチックから射出成形される成形体との最初にあげたようなはまり合い結合装置を、僅かな構造費で針金片の端部とプラスチックから成る成形体との確実でよく負荷可能な結合を保証できるように構成することである。
【０００４】  本発明は、針金片がヘアピン状に曲げられた端部を持ち、この端部の脚辺が止め具を形成し、針金片のヘアピン状に曲げられた端部が、針金端部のヘアピン形状に合わされてアンダカットを形成する成形体の差込み受入れ部へはまり合いで係合していることによって、与えられた課題を解決する。
【０００５】  取付けるべき針金片の自由端をヘアピン状に曲げ返すことによって、ヘアピン状端部の両脚辺により、止め具の互いに並んで延びる２つの部分が得られ、この止め具が成形体における針金片のねじれない係留を可能にし、針金片の取付けるべき端部に付加的なピンをろう着け又は溶接する必要がないので、このようなろう着け又は溶接に伴う欠点がなくなる。それにもかかわらず、成形体が、針金端部のヘアピン形状に合わされてアンダカットを形成する針金端部用差込み受入れ部を持っていると、プラスチックから成る成形体中にある針金片の端部の確実な軸線方向保持が行われる。なぜならば、アンダカットは、このアンダカットに係合するヘアピン状針金端部の部分と共に、差込み受入れ部からの針金端部の引出しを防止するからである。プラスチック又はヘアピン状に曲げられる針金端部の弾性は、成形体のアンダカットを持つ差込み受入れ部への針金端部の導入を簡単に可能にする。
【０００６】  ヘアピン状に曲げられる針金端部とアンダカットを持つ差込み受入れ部との係合のために適当な条件を与えるため、ヘアピン状端部の両脚辺は針金片のそれに続く部分へ向かって集まるので、ヘアピン状端部の両脚辺を結合する湾曲連絡辺の範囲に、針金端部の最大幅が生じる。しかしこのような針金端部に合わされる差込み受入れ部は、型抜きするされることが殆ど不可能である。従って丸い針金片の挿入の際ヘアピン状端部の両脚辺の間に生じる楔状範囲が、差込み受入れ部内における針金片の軸線方向係留のために有利に利用され、差込み受入れ部がこの楔状範囲へ突出する壁部分を形成する。この突出する壁部分は、ヘアピン状端部の両脚辺を互いに結合する湾曲連絡辺の前にあり、それにより成形体の差込み受入れ部からの針金片の引出しを防止する。針金端部の両脚辺を互いに結合する連絡辺用差込み受入れ部の負型は、両脚辺の間の楔状範囲へ突出する壁部分のアンダカットを設けられる必要がない。即ち差込み受入れ部へ針金端部を差込む際連絡辺と突出する壁部分との間に生じる圧力のため、連絡辺の範囲におけるプラスチックの低温流れにより、連絡辺断面に合った凹所が形成されて、差込み受入れ部におけるヘアピン状端部のはまり合い係留を行う。
【０００７】  引張りに耐える係留の別の可能性は、針金片のヘアピン状端部の他方の脚辺へ向かって曲げ返される一方の脚片が、他方の脚辺から離れる方へ向きかつ押しつぶしにより形成される拡張部を持っていることであり、この拡張部が、差込み受入れ部の隣接する壁に圧力荷重をかける結果、拡張部の範囲にあるプラスチックが低温流れにより押しやられ、差込み受入れ部の壁に、拡張部を受入れる凹所が生じ、この凹所がアンダカットとなり、針金片のヘアピン状に曲げられる端部の引出し防止を行う。ヘアピン状端部の一方の脚辺の拡張部が、更に両脚辺の間の楔状範囲へ突出する差込み受入れ部の壁部分に関連して使用されて、特に有利な係留条件を保証できることは当然である。拡張部は、継続する脚辺へ向かって曲げ返される脚辺を弱めるので、この弱めは、針金片と成形体との間の結合部の負荷可能性に影響を及ぼさない。成形体に保持される針金片の曲げは、特に針金片へすぐ移行する脚辺を負荷するが、曲げ返される他方の脚辺はねじり防止及び引出し防止のみを引受ける。
【発明を実施するための手段】
【０００８】  成形体１は、図示した実施例によれば、詳細には示してない眼鏡の鼻ブリッジ２により形成され、この眼鏡の鼻当て３は針金片４により鼻ブリッジ２に取付けられている。この目的のため、針金片４はヘアピン状端部５を持ち、この端部の脚辺は６及び７で示されている。鼻ブリッジ２には差込み受入れ部８が設けられて、この受入れ部は針金片５のヘアピン状端部の輪郭形状に一致し、針金片４のヘアピン状端部５を受入れている。図３からわかるように、差込み受入れ部８は、両方の脚辺６と７との間の楔状範囲へ向かって突出する壁部分９を持ち、これらの壁部分は、ヘアピン状端部５の両脚辺６及び７を結合する湾曲連絡辺の所まで延びているので、これらの壁部分の後に連絡辺５が係合し、それにより差込み受入れ部８内でヘアピン状端部５の引張りに耐える係留が行われる。成形体１のプラスチックの弾性のため、ヘアピン状端部を差込み受入れ部８へ押込む際、突出する壁部分９は、脚辺６と７との間の連絡辺が壁部分９の端部にあるアンダカットへはまるまで、弾性的に変形可能である。しかしこのようなアンダカットは、前もって設けることができない。即ち押込まれる針金端部５の連絡辺により連続する壁部分９へ及ぼされる圧力のため、連絡辺の範囲におけるプラスチックの低温流れが生じるので、連絡辺の断面形状に合わされる凹所が生じ、この凹所が差込み受入れ部８における連絡辺のはまり合い保持を行う。
【０００９】  図４による実施例によれば、ヘアピン状端部５の曲げ返される脚辺６は、押しつぶしにより生じる拡張部１０を持ち、この拡張部１０は脚辺から離れる方向を向いている。拡張部１０は差込み受入れ部８の壁に圧力荷重をかけるので、この範囲にある鼻ブリッジ２のプラスチックは低温流れにより永続的に変形して凹所１１を形成し、この凹所１１に拡張部１０が係止され、それにより針金片４のヘアピン状端部５が、それぞれの差込み受入れ部８において引張りに耐えるように係留される。凹所１１は、拡張部１０が係合する差込み受入れ部８のアンダカットを生じる。
【００１０】  鼻当て３に属する端部に、針金片４は曲げられた輪１２を持ち、図２からわかるように、鼻当て３のアンダカットを持つ受入れ部１３に、輪１２が係止されるように係合する。それにより鼻当て３に関しても鼻ブリッジ２に関しても、負荷可能性の要求を満たす簡単な結合部が生じる。
【図面の簡単な説明】
【００１１】
【図１】  眼鏡用の鼻当てを保持する針金片とプラスチックから成る鼻ブリッジとの本発明によるはまり合いに結合部を一部切欠いた図で示す。
【図２】  図１のＩＩ−ＩＩ線による断面を示す。
【図３】  図１のＩＩＩ−ＩＩＩ線による断面を拡大寸法で示す。
【図４】  はまり合い結合部の構造変形側の断面図を拡大寸法で示す。
【図１】
2006508374.tif 000003
【図２】
2006508374.tif 000004
【図３】
2006508374.tif 000005
【図４】
2006508374.tif 000006
【国際調査報告】
2006508374.tif 000007
2006508374.tif 000008
2006508374.tif 000009
2006508374.tif 000010
2006508374.tif 000011
2006508374.tif 000012